(57)【特許請求の範囲】
【請求項１】
地中支障物の両側方に形成される第１の地中連続壁を補完するように、前記地中支障物を跨いで形成される複合地中連続壁の構造であって、
前記地中支障物の側方に、施工基面から所定の深さまで施工され、前記第１の地中連続壁よりも曲げ耐力が大きい第２の地中連続壁と、
前記第２の地中連続壁の側面と接するように、前記所定の深さまでの範囲に施工された地盤改良部と、
を具備し、
前記第２の地中連続壁が前記地盤改良部の方向に張出す張出し部を有し、前記張出し部によって前記第２の地中連続壁と前記地盤改良部とが一体化され、前記張出し部の支圧で前記地盤改良部が支持され、
前記第２の地中連続壁の前記地盤改良部側に、付着力を増加させるための突起が設けられることを特徴とする複合地中連続壁の構造。
【請求項２】
前記第２の地中連続壁の背面側に前記地盤改良部をさらに施工することにより、せん断耐力を増加させることを特徴とする請求項１記載の複合地中連続壁の構造。
【請求項３】
地中支障物の両側方に形成される第１の地中連続壁を補完するように、前記地中支障物を跨いで形成される複合地中連続壁の構造であって、
前記地中支障物の側方に、施工基面から所定の深さまで施工された杭と、
前記杭と接するように、前記所定の深さまでの範囲に施工された地盤改良部と、
を具備し、
前記杭と前記地盤改良部とが一体化され、前記杭の支圧で前記地盤改良部が支持されることを特徴とする複合地中連続壁の構造。
【請求項４】
前記地盤改良部は、施工基面からの高圧噴射撹拌工法、薬液注入工法、または機械撹拌工法によって施工されることを特徴とする請求項１から請求項３のいずれかに記載の複合地中連続壁の構造
【請求項５】
前記地中支障物が線状構造物であることを特徴とする請求項１から請求項４のいずれかに記載の複合地中連続壁の構造。
【請求項６】
地中支障物の両側方に形成される第１の地中連続壁を補完するように、前記地中支障物を跨いで形成される複合地中連続壁の構築方法であって、
前記地中支障物の側方に、施工基面から所定の深さまで、曲げ耐力を有する第２の地中連続壁を施工する工程（ａ）と、
前記第２の地中連続壁に接するように、前記所定の深さまでの範囲に地盤改良部を施工し、前記第２の地中連続壁と前記地盤改良部とを一体化する工程（ｂ）と、
を具備し、
前記第２の地中連続壁が前記地盤改良部の方向に張出す張出し部を有し、
前記第２の地中連続壁の前記地盤改良部側に、付着力を増加させるための突起が設けられることを特徴とする複合地中連続壁の構築方法。
【請求項７】
地中支障物の両側方に形成される第１の地中連続壁を補完するように、前記地中支障物を跨いで形成される複合地中連続壁の構築方法であって、
前記地中支障物の側方に、施工基面から所定の深さまで、曲げ耐力を有する杭を施工する工程（ａ）と、
前記杭に接するように、前記所定の深さまでの範囲に地盤改良部を施工し、前記杭と前記地盤改良部とを一体化する工程（ｂ）と、
を具備することを特徴とする複合地中連続壁の構築方法。
【発明の詳細な説明】
【技術分野】
【０００１】
本発明は、地中支障物の両側方に形成される第１の地中連続壁を補完するように、地中支障物を跨いで形成される複合地中連続壁の構造および複合地中連続壁の構築方法に関するものである。
【背景技術】
【０００２】
従来、地下に支障物が存在する場所では、支障物を撤去したり、すかし掘り工法を用いたり、ジェットグラウト等の地盤改良工法を用いたりして、連続地中壁を構築している。すかし掘り工法では、一般に、埋設物に近接して所定深さまでガイドホール（立坑）を掘削し、ケーシングを上昇させて立坑の所定の範囲に安定液を注入して壁面を防護しつつ、ケーシングを反力として埋設物の下方の掘削が行われている（例えば、特許文献１参照）。
【先行技術文献】
【特許文献】
【０００３】
【特許文献１】特許第４４５０４０４号公報
【発明の概要】
【発明が解決しようとする課題】
【０００４】
しかしながら、すかし掘り工法では、専用の掘削機を用いて煩雑な施工を行う必要があった。地中の支障物が大きい場合や、支障物が深い位置に存在する場合には、特に施工が難しかった。
【課題を解決するための手段】
【０００５】
本発明は、前述した問題点に鑑みてなされたもので、その目的とすることは、曲げ耐力を有する構造物の支圧で曲げ耐力のない地盤改良部を支持することにより、地中支障物を跨いで容易に形成することができる複合地中連続壁の構造および複合地中連続壁の構築方法にある。
【０００６】
前述した目的を達成するために第１の発明は、地中支障物の両側方に形成される第１の地中連続壁を補完するように、前記地中支障物を跨いで形成される複合地中連続壁の構造であって、前記地中支障物の側方に、施工基面から所定の深さまで施工され、前記第１の地中連続壁よりも曲げ耐力が大きい第２の地中連続壁と、前記第２の地中連続壁の側面と接するように、前記所定の深さまでの範囲に施工された地盤改良部と、を具備し、前記第２の地中連続壁が前記地盤改良部の方向に張出す張出し部を有し、前記張出し部によって前記第２の地中連続壁と前記地盤改良部とが一体化され、前記張出し部の支圧で前記地盤改良部が支持され、前記第２の地中連続壁の前記地盤改良部側に、付着力を増加させるための突起が設けられることを特徴とする複合地中連続壁の構造である。
【０００７】
第１の発明では、前記第２の地中連続壁の背面側に前記地盤改良部をさらに施工することにより、せん断耐力を増加させてもよい。
【０００８】
第１の発明の複合地中連続壁の構造では、第２の地中連続壁が地中支障物の側方に施工され、地盤改良部が第２の地中連続壁の側面と接するように所定の深さまでの範囲に施工され、第２の地中連続壁の張出し部によって第２の地中連続壁と地盤改良部とが一体化される。そのため、複合地中連続壁の背面側からの土圧に対して、曲げ耐力を有する構造物である張出し部の支圧で曲げ耐力のない地盤改良部を支持することができる。
【００１１】
第２の発明は、地中支障物の両側方に形成される第１の地中連続壁を補完するように、前記地中支障物を跨いで形成される複合地中連続壁の構造であって、前記地中支障物の側方に、施工基面から所定の深さまで施工された杭と、前記杭と接するように、前記所定の深さまでの範囲に施工された地盤改良部と、を具備し、前記杭と前記地盤改良部とが一体化され、前記杭の支圧で前記地盤改良部が支持されることを特徴とする複合地中連続壁の構造である。
【００１２】
第２の発明の複合地中連続壁の構造では、杭が地中支障物の側方に施工され、地盤改良部が杭と接するように所定の深さまでの範囲に施工され、杭と地盤改良部とが一体化される。そのため、複合地中連続壁の背面側からの土圧に対して、曲げ耐力を有する構造物である杭の支圧で曲げ耐力のない地盤改良部を支持することができる。
【００１３】
第１、第２の発明では、例えば、前記地盤改良部が、施工基面からの高圧噴射撹拌工法、薬液注入工法、または機械撹拌工法によって施工される。
また、前記地中支障物は、例えば線状構造物である。
【００１４】
第１、第２の発明では、第２の地中連続壁や杭や地盤改良部が一般的な工法を用いて施工される。そのため、複合地中連続壁の構造が、地中支障物を跨いで容易に形成される。
【００１５】
第３の発明は、地中支障物の両側方に形成される第１の地中連続壁を補完するように、前記地中支障物を跨いで形成される複合地中連続壁の構築方法であって、前記地中支障物の側方に、施工基面から所定の深さまで、曲げ耐力を有する第２の地中連続壁を施工する工程（ａ）と、前記第２の地中連続壁に接するように、前記所定の深さまでの範囲に地盤改良部を施工し、前記第２の地中連続壁と前記地盤改良部とを一体化する工程（ｂ）と、を具備し、前記第２の地中連続壁が前記地盤改良部の方向に張出す張出し部を有し、前記第２の地中連続壁の前記地盤改良部側に、付着力を増加させるための突起が設けられることを特徴とする複合地中連続壁の構築方法である。
第４の発明は、地中支障物の両側方に形成される第１の地中連続壁を補完するように、前記地中支障物を跨いで形成される複合地中連続壁の構築方法であって、前記地中支障物の側方に、施工基面から所定の深さまで、曲げ耐力を有する杭を施工する工程（ａ）と、前記杭に接するように、前記所定の深さまでの範囲に地盤改良部を施工し、前記杭と前記地盤改良部とを一体化する工程（ｂ）と、を具備することを特徴とする複合地中連続壁の構築方法である。
【００１６】
第３、第４の発明では、曲げ耐力を有する第２の地中連続壁、杭からなる構造体を施工し、構造体に接するように所定の深さまでの範囲に地盤改良部を施工して、構造体と地盤改良部とを一体化する。そのため、複合地中連続壁の背面側からの土圧に対して、構造体の支圧で曲げ耐力のない地盤改良部を支持することができる。また、第３、第４の発明では、構造体や地盤改良部を一般的な工法を用いて施工することにより、地中支障物を跨いで複合地中連続壁を容易に形成可能である。
【発明の効果】
【００１７】
本発明によれば、曲げ耐力を有する構造物の支圧で曲げ耐力のない地盤改良部を支持することにより、地中支障物を跨いで容易に形成することができる複合地中連続壁の構造および複合地中連続壁の構築方法を提供できる。
【図面の簡単な説明】
【００１８】
【図１】複合地中連続壁１の概要を示す図
【図２】第２の地中連続壁を有する他の複合地中連続壁の例を示す図
【図３】第２の地中連続壁を有する他の複合地中連続壁１ｅ付近の水平断面図
【図４】第２の地中連続壁を有する他の複合地中連続壁１ｆ付近の水平断面図
【図５】複合地中連続壁３１付近の水平断面図
【図６】複合地中連続壁５１付近の水平断面図
【図７】杭を有する他の複合地中連続壁の例を示す図
【発明を実施するための形態】
【００１９】
以下図面に基づいて、本発明の第１の実施形態を詳細に説明する。図１は、複合地中連続壁１の概要を示す図である。図１（ａ）は、複合地中連続壁１付近の水平断面図を、図１（ｂ）は、複合地中連続壁１付近の垂直断面図を示す。図１（ａ）は、図１（ｂ）に示す矢印Ｂ−Ｂによる断面図であり、図１（ｂ）は、図１（ａ）に示す矢印Ａ−Ａによる断面図である。
【００２０】
図１に示すように、地盤２内には、地中支障物１１が存在する。地中支障物１１は、例えば、ボックスカルバートやトンネル等の線状構造物である。地中支障物１１の両側方には、第１の地中連続壁３が形成される。第１の地中連続壁３は、地中支障物１１の下面２９より下方の所定の深さ２７まで形成される。
【００２１】
複合地中連続壁１は、地中支障物１１の両側方に形成された第１の地中連続壁３同士を繋いで補完するように、地中支障物１１を跨いで形成される。複合地中連続壁１は、第２の地中連続壁５、地盤改良部７等からなる。
【００２２】
第２の地中連続壁５は、地中支障物１１の両側方に形成される。第２の地中連続壁５は、通常用いられる施工方法により、施工基面２１から地中連続壁３と同等の深さ２７まで形成される。地中連続壁５は、地中連続壁３と連続する。地中連続壁５は、地中連続壁３よりも、背面側１７からの土圧に対する曲げ耐力が大きいものとする。地中連続壁５は、背面側１７からの土圧に対して強軸方向の曲げで抵抗できる幅、長さ、配筋の断面を有する部材とする。
【００２３】
第２の地中連続壁５は、地中支障物１１側の側面２４の前面側１９に、地盤改良部７の方向に張出す張出し部９を有する。側面２４は、地中支障物１１の側面２３から所定の距離２５をおいて位置する。張出し部９は、図１に示すように地中支障物１１の側面２３に接するように設けてもよいし、側面２３に接しなくてもよい。
【００２４】
地盤改良部７は、第２の地中連続壁５の側面２４と接するように、深さ２７までの範囲に施工される。地盤改良部７の前面側１９の面は、地中連続壁３や地中連続壁５の前面側１９の面と連続する。地盤改良部７の背面側１７の面は、地中連続壁５の背面側１７の面と連続する。地盤改良部７は、施工基面２１や地中支障物１１の内部からの高圧噴射撹拌工法、薬液注入工法、または機械撹拌工法によって施工される。
【００２５】
第２の地中連続壁５と地盤改良部７とは、張出し部９によって一体化される。第２の地中連続壁５の地盤改良部７側の側面２４には、必要に応じて、付着力を増加させるための点状や線状等の図示しない突起を設けてもよい。
【００２６】
複合地中連続壁１を構築するには、まず、第１の地中連続壁３に連続するように、地中支障物１１の側方に、施工基面２１から所定の深さ２７まで、曲げ耐力を有する第２の地中連続壁５を施工する。そして、地中連続壁５の側面２４に接するように、所定の深さ２７までの範囲に地盤改良部７を施工し、地中連続壁５と地盤改良部７とを一体化する。
【００２７】
複合地中連続壁１では、背面側１７の地盤２からの土圧が、曲げ耐力のない地盤改良部７から曲げ耐力を有する第２の地中連続壁５の張出し部９の背面に伝達される。背面側１７からの土圧は、地中連続壁５の張出し部９が受け、張出し部９の支圧で地盤改良部７が支持される。
【００２８】
このように、第１の実施の形態では、第２の地中連続壁５を地中支障物１１の側方に施工した後、地盤改良部７を所定の深さ２７までの範囲に施工して、地中連続壁５と地盤改良部７とが一体化された複合地中連続壁１を構築する。地中連続壁５、地盤改良部７は、いずれも通常の工法を用いて施工するため、地中支障物１１を跨いで第１の地中連続壁３を補完する複合地中連続壁１を容易に形成することができる。複合地中連続壁１では、背面側１７からの土圧を曲げ耐力を有する地中連続壁５の張出し部９が受け、張出し部９の支圧で曲げ耐力のない地盤改良部７を支持することにより、背面側１７からの土圧に抵抗することができる。
【００２９】
なお、第２の地中連続壁を有する複合地中連続壁の構造は、第１の実施の形態で述べたものに限らない。図２は、第２の地中連続壁を有する他の複合地中連続壁の例を示す図である。図２（ａ）に示す複合地中連続壁１は、図１に示す複合地中連続壁１と同様の構成であるが、第１の地中連続壁３および複合地中連続壁１の前面側１９の地中支障物１１を除く位置に、土留め支保工１３が設置される。土留め支保工１３の代わりに逆巻き工法の内壁が設置される場合もある。
【００３０】
図２（ｂ）に示す複合地中連続壁１ｂは、図１に示す複合地中連続壁１と略同様の構成であるが、地盤改良部７ｂの施工範囲が異なる。複合地中連続壁１ｂの地盤改良部７ｂの前面側１９の面は、第２の地中連続壁５の張出し部９の背面側１７の面の延長上に位置する。図２（ｂ）に示す例では、第１の地中連続壁３および複合地中連続壁１ｂの前面側１９の地中支障物１１を除く全面に後施工の本設内壁１５が設置され、第１の地中連続壁３と本設内壁１５とで本体壁が構成される。
【００３１】
図２（ｃ）に示す複合地中連続壁１ｃは、第２の地中連続壁５ｃ、地盤改良部７ｃ等からなる。第２の地中連続壁５ｃは、地中支障物１１の両側方に形成される。地中連続壁５ｃは、地中連続壁３と連続する。地盤改良部７ｃは、第２の地中連続壁５ｃの側面２４ｃと接するように施工される。地中連続壁５ｃは、地盤改良部７ｃの方向に張出す張出し部９ｃを有する。地盤改良部７ｃは、地中連続壁５ｃの背面側１７にもさらに施工される。地中連続壁５ｃと地盤改良部７ｃとは、張出し部９ｃによって一体化される。図２（ｃ）に示す例では、第１の地中連続壁３および複合地中連続壁１ｃの前面側１９の地中支障物１１を除く全面に本設内壁１５が設置され、第１の地中連続壁３と本設内壁１５とで本体壁が構成される。なお、図２（ｃ）に示す複合地中連続壁１ｃの地中連続壁５ｃは地中連続壁３よりも厚い部材であるが、地中連続壁５ｃは、鉄筋量の増大や鉄骨の挿入によって耐力を地中連続壁３よりも大きくすることにより、地中連続壁３と同じ厚さとしてもよい。
【００３２】
図２（ｄ）に示す例では、第１の地中連続壁３ｄが、地中支障物１１の側面２３の位置まで形成される。複合地中連続壁１ｄは、第２の地中連続壁５ｄ、地盤改良部７ｄ等からなる。第２の地中連続壁５ｄは、前面側１９の面が地中連続壁３ｄの背面側１７に位置するように、地中支障物１１の両側方に形成される。地盤改良部７ｄは、第２の地中連続壁５ｄの側面２４ｄと接するように施工される。地中連続壁５ｄは、地中支障物１１側の側面２４ｄの前面側１９に、地盤改良部７ｄの方向に張出す張出し部９ｄを有する。側面２４ｄは、地中支障物１１の側面２３から所定の距離２５ｄをおいて位置する。地中連続壁５ｄと地盤改良部７ｄとは、張出し部９ｄによって一体化される。図２（ｄ）に示す例では、第１の地中連続壁３ｄおよび地盤改良部７ｄの前面側１９の地中支障物１１を除く全面に本設内壁１５が設置され、第１の地中連続壁３ｄと本設内壁１５とで本体壁が構成される。
【００３３】
図３は、第２の地中連続壁を有する他の複合地中連続壁１ｅ付近の水平断面図である。図３に示す複合地中連続壁１ｅは、第２の地中連続壁５ｅ、地盤改良部７ｅ等からなる。第２の地中連続壁５ｅは、地中支障物１１の両側方に形成される。地盤改良部７ｅは、地中連続壁５ｅの側面２４ｅと接するように設けられる。第２の地中連続壁５ｅは、地中支障物１１側の側面２４ｅに、地盤改良部７ｅの方向に張出す複数の張出し部９ｅを有する。図３に示す張出し部９ｅは、断面形状が円の一部分であるが、断面形状はこれに限らない。また、張出し部９ｅは、線状に設けてもよいし点状に設けてもよい。側面２４ｅは、地中支障物１１の側面２３から所定の距離２５ｅをおいて位置する。地中連続壁５ｅと地盤改良部７ｅとは、張出し部９ｅによって一体化される。
【００３４】
図４は、第２の地中連続壁を有する他の複合地中連続壁１ｆ付近の水平断面図である。図４に示す複合地中連続壁１ｆは、図１に示す複合地中連続壁１とほぼ同様の構成であるが、地盤改良部７ｆが、第２の地中連続壁５の背面側１７にもさらに施工される。
【００３５】
図２から図４に示す各複合地中連続壁においても、背面側１７の地盤２からの土圧を曲げ耐力を有する第２の地中連続壁の張出し部が受け、張出し部の支圧で曲げ耐力のない地盤改良部を支持することにより、背面側１７からの土圧に抵抗することができる。図２（ｃ）や図４に示すように、第２の地中連続壁の背面側に地盤改良部をさらに施工すれば、せん断耐力を増加させることができる。
【００３６】
次に、第２の実施の形態について説明する。図５は、複合地中連続壁３１付近の水平断面図である。図５に示すように、地盤３２内には、地中支障物４１が存在する。地中支障物４１は、例えば、ボックスカルバートやトンネル等の線状構造物である。地中支障物４１の両側方には、第１の地中連続壁３３が形成される。第１の地中連続壁３３は、地中支障物４１の下面より深い所定の深さまで形成される。
【００３７】
複合地中連続壁３１は、地中支障物４１の両側方に形成された第１の地中連続壁３３同士を繋いで補完するように、地中支障物４１を跨いで形成される。複合地中連続壁３１は、土留め壁３５、地盤改良部３７等からなる。
【００３８】
土留め壁３５は、地中支障物４１の両側方に形成される。土留め壁３５は、ソイルセメント固化連続壁であり、通常用いられる施工方法により、施工基面から地中連続壁３３と同等の深さまで形成される。
【００３９】
地盤改良部３７は、土留め壁３５の地中支障物４１側の面４４と接するように、地中連続壁３３や土留め壁３５と同等の深さまでの範囲に施工される。地盤改良部３７の前面側４５の面は、地中連続壁３３の背面側４３の面の延長上に位置する。地盤改良部３７は、施工基面や地中支障物４１の内部からの高圧噴射撹拌工法、薬液注入工法、または機械撹拌工法によって施工される。
【００４０】
土留め壁３５の地盤改良部３７との接触面、すなわち土留め壁３５の地中支障物４１側の面４４には、凹凸３９が形成され、凹凸３９によって土留め壁３５と地盤改良部３７とが一体化される。面４４の凹凸３９は、心材の周囲にソイルセメントを円柱体形状に固化させてソイルセメント固化連続壁である土留め壁３５を施工する際に、円柱体が重なることにより形成される。
【００４１】
複合地中連続壁３１を構築するには、まず、第１の地中連続壁３３の背面側４３において、地中支障物４１の側方に、施工基面から所定の深さまで、曲げ耐力を有する土留め壁３５を施工する。そして、土留め壁３５に接するように、所定の深さまでの範囲に地盤改良部３７を施工し、土留め壁３５と地盤改良部３７とを一体化する。
【００４２】
複合地中連続壁３１では、背面側４３の地盤３２からの土圧が、地盤改良部３７から面４４の凹凸３９によって土留め壁３５に伝達される。背面側４３からの土圧は、土留め壁３５が受け、土留め壁３５の支圧で地盤改良部３７が支持される。
【００４３】
なお、複合地中連続壁３１では、第１の地中連続壁３３および複合地中連続壁３１の前面側４５に後施工の本設内壁１５が設置され、第１の地中連続壁３３と本設内壁１５とで本体壁が構成される。
【００４４】
このように、第２の実施の形態では、土留め壁３５を地中支障物４１の側方に施工した後、地盤改良部３７を所定の深さまでの範囲に施工して、土留め壁３５と地盤改良部３７とが一体化された複合地中連続壁３１を構築する。土留め壁３５、地盤改良部３７は、いずれも通常の工法を用いて施工するため、地中支障物４１を跨いで第１の地中連続壁３３を補完する複合地中連続壁３１を容易に形成することができる。複合地中連続壁３１では、背面側４３からの土圧を曲げ耐力を有する土留め壁３５の凹凸３９が受け、土留め壁３５の支圧で曲げ耐力のない地盤改良部３７を支持することにより、背面側４３からの土圧に抵抗することができる。
【００４５】
次に、第３の実施の形態について説明する。図６は、複合地中連続壁５１付近の水平断面図である。図６に示すように、地盤３２内には、第２の実施の形態と同様に地中支障物４１が存在し、地中支障物４１の両側方には、第１の地中連続壁３３が形成される。
【００４６】
複合地中連続壁５１は、地中支障物４１の両側方に形成された第１の地中連続壁３３同士を繋いで補完するように、地中支障物４１を跨いで形成される。複合地中連続壁５１は、鋼管杭４９、地盤改良部４７等からなる。
【００４７】
鋼管杭４９は、地中支障物４１の両側方に形成される。鋼管杭４９は、平面視で地中連続壁３３と略直交する線上に複数本ずつ並べて形成される。鋼管杭４９は、通常用いられる施工方法により、施工基面から地中連続壁３３と同等の深さまで形成される。
【００４８】
地盤改良部４７は、鋼管杭４９の地中支障物４１側の面４６と接するように、地中連続壁３３や鋼管杭４９と同等の深さまでの範囲に施工される。地盤改良部４７の前面側４５の面は、地中連続壁３３の背面側４３の面の延長上に位置する。地盤改良部４７は、施工基面や地中支障物４１の内部からの高圧噴射撹拌工法、薬液注入工法、または機械撹拌工法によって施工される。
【００４９】
複合地中連続壁５１を構築するには、まず、第１の地中連続壁３３の背面側４３において、地中支障物４１の側方に、施工基面から所定の深さまで、曲げ耐力を有する鋼管杭４９を施工する。そして、鋼管杭４９に接するように、所定の深さまでの範囲に地盤改良部４７を施工し、鋼管杭４９と地盤改良部４７とを一体化する。
【００５０】
複合地中連続壁５１では、鋼管杭４９と地盤改良部４７とが一体化され、背面側４３の地盤３２からの土圧が、地盤改良部４７から鋼管杭４９に伝達される。背面側４３からの土圧は、鋼管杭４９が受け、鋼管杭４９の支圧で地盤改良部４７が支持される。
【００５１】
なお、複合地中連続壁５１では、第１の地中連続壁３３および複合地中連続壁５１の前面側４５に後施工の本設内壁１５が設置され、第１の地中連続壁３３と本設内壁１５とで本体壁が構成される。
【００５２】
このように、第３の実施の形態では、鋼管杭４９を地中支障物４１の側方に施工した後、地盤改良部４７を所定の深さまでの範囲に施工して、鋼管杭４９と地盤改良部４７とが一体化された複合地中連続壁５１を構築する。鋼管杭４９、地盤改良部４７は、いずれも通常の工法を用いて施工するため、地中支障物４１を跨いで第１の地中連続壁３３を補完する複合地中連続壁５１を容易に形成することができる。複合地中連続壁５１では、背面側４３からの土圧を曲げ耐力を有する鋼管杭４９が受け、鋼管杭４９の支圧で曲げ耐力のない地盤改良部４７を支持することにより、背面側４３からの土圧に抵抗することができる。
【００５３】
なお、杭を有する複合地中連続壁の構造は、第３の実施の形態で述べたものに限らない。図７は、杭を有する他の複合地中連続壁の例を示す図である。図７（ａ）に示す複合地中連続壁５１ａは、地中支障物４１の両側方に形成された第１の地中連続壁３３同士を繋いで補完するように、地中支障物４１を跨いで形成される。複合地中連続壁５１ａは、場所打ち杭５３ａ、場所打ち杭５３ｂ、地盤改良部４７ａ等からなる。
【００５４】
場所打ち杭５３ａは、地中支障物４１の両側方に、施工基面から地中連続壁３３と同等の深さまで形成される。場所打ち杭５３ｂは、地中支障物４１の内部から地中連続壁３３と同等の深さまで形成される。場所打ち杭５３ａ、場所打ち杭５３ｂは、通常用いられる施工方法により、平面視で地中連続壁３３と略平行な線上に並べて形成される。
【００５５】
地盤改良部４７ａは、場所打ち杭５３ａの地中支障物４１側の面４８と接するように、地中連続壁３３や場所打ち杭５３ａと同等の深さまでの範囲に施工される。複合地中連続壁５１ａでは、場所打ち杭５３ａ、場所打ち杭５３ｂと地盤改良部４７ａとが一体化される。
【００５６】
図７（ｂ）に示す複合地中連続壁５１ｂは、地中支障物４１の両側方に形成された第１の地中連続壁３３同士を繋いで補完するように、地中支障物４１を跨いで形成される。複合地中連続壁５１ｂは、連続杭５５ａ、連続杭５５ｂ、地盤改良部４７ｂ等からなる。
【００５７】
連続杭５５ａは、地中支障物４１の両側方に、施工基面から地中連続壁３３と同等の深さまで形成される。連続杭５５ａは、通常用いられる施工方法により、平面視で地中連続壁３３と略直交する線上に複数本ずつ並べて形成される。連続杭５５ｂは、地中支障物４１の内部から地中連続壁３３と同等の深さまで形成される。連続杭５５ｂは、通常用いられる施工方法により、平面視で地中連続壁３３と略平行な線上に複数本並べて形成される。
【００５８】
地盤改良部４７ｂは、地中支障物４１の外側の部分５０が連続杭５５ａと接するように、地中連続壁３３や連続杭５５ａと同等の深さまでの範囲に施工される。複合地中連続壁５１ｂでは、連続杭５５ａ、連続杭５５ｂと地盤改良部４７ｂとが一体化される。
【００５９】
図７に示す複合地中連続壁５１ａ、５１ｂでは、背面側４３からの土圧を曲げ耐力を有する場所打ち杭５３ａ、５３ｂや連続杭５５ａ、５５ｂが受け、場所打ち杭５３ａ、５３ｂや連続杭５５ａ、５５ｂの支圧で曲げ耐力のない地盤改良部４７ａ、４７ｂを支持することにより、背面側４３からの土圧に抵抗することができる。
【００６０】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００６１】
１、１ｂ、１ｃ、１ｄ、１ｅ、１ｆ、３１、５１、５１ａ、５１ｂ………複合地中連続壁
２、３２………地盤
３、３ｄ、３３………地中連続壁
５、５ｃ、５ｄ、５ｅ………地中連続壁
７、７ｂ、７ｃ、７ｄ、７ｅ、７ｆ、３７、４７、４７ａ、４７ｂ………地盤改良部
９、９ｃ、９ｄ、９ｅ………張出し部
１１、４１………地中支障物
１７、４３………背面側
１９、４５………前面側
２１………施工基面
２３、２４、２４ｃ、２４ｄ、２４ｅ、４２………側面
２７………深さ
２８………上面
２９………下面
３５………土留め壁
３９………凹凸
４４、４６、４８………面
４９………鋼管杭
５３ａ、５３ｂ………場所打ち杭
５５ａ、５５ｂ………連続杭
【図１】
0006470648.tif 000002
【図２】
0006470648.tif 000003
【図３】
0006470648.tif 000004
【図４】
0006470648.tif 000005
【図５】
0006470648.tif 000006
【図６】
0006470648.tif 000007
【図７】
0006470648.tif 000008